(57)【要約】【課題】  装置内部の電源ユニットを、装置を停止しないまま交換でき、装置交換中も電源の冗長度を維持できる情報処理装置を提供する。【解決手段】  複数の電源ユニットと接続可能な、情報処理装置内部に直流電源を供給する直流変圧部と、情報処理装置内部に備え、交換可能な第１の電源ユニットと直流変圧部とを接続する少なくとも１つ以上の内蔵電源ユニット接続部と、外部から接続可能な第２の電源ユニットと直流変圧部とを接続する外部電源ユニット接続部とを含む情報処理装置。【選択図】      図２
2015156064.tif 000002
【特許請求の範囲】
【請求項１】
複数の電源ユニットと接続可能な、情報処理装置内部に直流電源を供給する直流変圧部と、
前記情報処理装置内部に備え、交換可能な第１の電源ユニットと前記直流変圧部とを接続する少なくとも１つ以上の内蔵電源ユニット接続部と、
外部から接続可能な第２の電源ユニットと前記直流変圧部とを接続する外部電源ユニット接続部と
を含む情報処理装置。
【請求項２】
前記第１の電源ユニットは自身の交換寿命を検知する請求項１記載の情報処理装置。
【請求項３】
前記第１の電源ユニットが自身の交換寿命を検知した場合、前記情報処理装置の表示部に寿命情報を表示する請求項２に記載の情報処理装置。
【請求項４】
通常稼働時、情報処理装置内部に備え、交換可能な第１の電源ユニットが、内蔵電源ユニット接続部を介して直流変圧部に接続され、外部より交流電源を受電し、直流電源に変換して前記直流変圧部に給電し、
前記第１の電源ユニットの交換時、第２の電源ユニットが前記情報処理装置の外部電源ユニット接続部に外部から接続され、前記第２の電源ユニットが外部より交流電源を受電し、直流電源に変換して前記直流変圧部に給電する
電源供給方法。
【請求項５】
前記内蔵電源ユニット接続部が１つないし複数備えられる請求項４記載の電源供給方法。
【請求項６】
前記第１の電源ユニットは自身の交換寿命を検知する請求項４または５記載の電源供給方法。
【請求項７】
前記第１の電源ユニットが自身の交換寿命を検知した場合、前記情報処理装置の表示部に寿命情報を表示する請求項６記載の電源供給方法。
【発明の詳細な説明】
【技術分野】
【０００１】
本発明は、電源供給源を二重化する情報処理装置、及び電源供給方法に関する。
【背景技術】
【０００２】
情報処理装置において、電源供給源を二重化する技術が知られている。この技術は、装置に電源ユニットを複数接続する。
【０００３】
電源供給源を二重化する技術の一例が特許文献１に記載されている。特許文献１に記載されたバッテリー装置は、通常時は外部ＡＣ／ＤＣコンバータを介して電源を供給し、非常時は内部ＡＣ／ＤＣコンバータを介して電源を供給する。
【先行技術文献】
【特許文献】
【０００４】
【特許文献１】特開２０１０−１９３５４０号公報
【発明の概要】
【発明が解決しようとする課題】
【０００５】
しかしながら、上述した特許文献１に記載された技術は、外部ＡＣ／ＤＣコンバータのバックアップである内部ＡＣ／ＤＣコンバータは交換可能な仕組みにはなっていない。また、商用電圧監視回路は、内部ＡＣ／ＤＣコンバータを監視していない。したがって、特許文献１に記載された技術は、内部ＡＣ／ＤＣコンバータの故障は考慮されておらず、内部ＡＣ／ＤＣコンバータが故障した場合、冗長構成が失われるという問題点がある。
【０００６】
本発明の目的の一例は、上述した問題点を解決できる情報処理装置および電源供給方法を提供することにある。
【課題を解決するための手段】
【０００７】
本発明の一形態における第１の情報処理装置は、複数の電源ユニットと接続可能な、情報処理装置内部に直流電源を供給する直流変圧部と、情報処理装置内部に備え、交換可能な第１の電源ユニットと直流変圧部とを接続する少なくとも１つ以上の内蔵電源ユニット接続部と、外部から接続可能な第２の電源ユニットと直流変圧部とを接続する外部電源ユニット接続部とを備える。
【０００８】
本発明の一形態における第１の電源供給方法は、通常稼働時、情報処理装置内部に備え、交換可能な第１の電源ユニットが、内蔵電源ユニット接続部を介して直流変圧部に接続され、外部より交流電源を受電し、直流電源に変換して直流変圧部に給電し、第１の電源ユニットの交換時、第２の電源ユニットが情報処理装置の外部電源ユニット接続部に外部から接続され、第２の電源ユニットが外部より交流電源を受電し、直流電源に変換して直流変圧部に給電する。
【発明の効果】
【０００９】
本発明によれば、装置内部の電源ユニットを、装置を停止しないまま交換でき、装置交換中も電源の冗長度を維持できるという効果が得られる。
【図面の簡単な説明】
【００１０】
【図１】図１は、本発明の第１の実施形態における情報処理装置１０００の、通常稼働時の構成を示すブロック図である。
【図２】図２は、本発明の第１の実施の形態における情報処理装置１０００および第２の電源ユニット１０２の、第１の電源ユニット１０１の寿命交換時の構成を示すブロック図である。
【図３】図３は、本発明の第１の実施形態における情報処理装置１０００の主要な構成を示すブロック図である。
【図４】図４は、第２の実施の形態における情報処理装置１００１および第２の電源ユニット１０２の構成を示すブロック図である。
【発明を実施するための形態】
【００１１】
次に、本発明の実施形態について図面を参照して詳細に説明する。
【００１２】
［第１の実施の形態］
図１は、本発明の第１の実施の形態における情報処理装置１０００の、通常稼働時の構成を示すブロック図である。図１を参照すると、情報処理装置１０００は、第１の電源ユニット１０１と直流変圧部１１０と内蔵電源ユニット接続部１２１と外部電源ユニット接続部１２２と制御回路２００と、を備える。
【００１３】
次に、第１の実施の形態における情報処理装置１０００の構成について説明する。
【００１４】
第１の電源ユニット１０１は、内蔵電源ユニット接続部１２１を介して直流変圧部１１０に接続される。また、第１の電源ユニット１０１は、外部より交流電源（交流電源信号）を受電し、交流電圧を直流電圧に変換して直流変圧部１１０に給電する。また、第１の電源ユニット１０１は、自身の寿命を検知し、使用不能になる前に制御回路２００に通知する。制御回路２００は、図示しない表示部に寿命情報を表示する。または、第１の電源ユニット１０１は、直接作業者に通知する機能を有する。自身の寿命を検知する技術としては、例えば特許第３８５０３１１号や特許第４３００５８１号などがある。
【００１５】
直流変圧部１１０は、内蔵電源ユニット接続部１２１または外部電源ユニット接続部１２２を介して接続された電源ユニットから受け取った直流電源（直流電圧）を制御回路２００に接続された各パーツに必要な電圧（所定の電圧）に変換して制御回路２００に供給する。
【００１６】
内蔵電源ユニット接続部１２１は、直流変圧部１１０と第１の電源ユニット１０１とを接続するコネクタである。
【００１７】
外部電源ユニット接続部１２２は、直流変圧部１１０と外部から接続される電源ユニットとを接続するコネクタである。
【００１８】
制御回路２００は、情報処理装置１０００の処理を制御する回路である。
【００１９】
図２は、本発明の第１の実施の形態における情報処理装置１０００および第２の電源ユニット１０２の、第１の電源ユニット１０１の寿命交換時の構成を示すブロック図である。図２を参照すると、第２の電源ユニット１０２は、情報処理装置１０００の外部電源ユニット接続部１２２に外部から接続される。
【００２０】
第２の電源ユニット１０２は、外部電源ユニット接続部１２２を介して直流変圧部１１０に接続され、外部より交流電源を受電し、交流電圧を直流電圧に変換して直流変圧部１１０に給電する。
【００２１】
以上のように構成された情報処理装置１０００での装置を停止しない電源ユニット交換時の動作について説明する。ここでは、図１における第１の電源ユニット１０１が寿命となる場合の交換を説明する。
【００２２】
まず、第１の電源ユニット１０１は、自身の寿命を検知する。次に、作業者に寿命情報と電源ユニット交換を促す旨を、使用不能になる前に通知する。前述のとおり、通知方法として、第１の電源ユニット１０１が制御回路２００に通知し、制御回路２００によって制御される図示しない表示部に寿命情報を表示する方法でも、第１の電源ユニット１０１が直接作業者に通知する方法でも構わない。
【００２３】
寿命情報を通知された作業者により、図２に示すように、第２の電源ユニット１０２が情報処理装置１０００の外部電源ユニット接続部１２２に外部から接続される。この状態では、直流変圧部１１０は、第１の電源ユニット１０１、第２の電源ユニット１０２双方から直流電源を受け取っている。そのため、作業者が第１の電源ユニット１０１を情報処理装置１０００から抜去しても、第２の電源ユニット１０２が外部電源ユニット接続部１２２に接続されている。したがって、直流変圧部１１０の制御回路２００への直流電源の供給は継続される。
【００２４】
次に、第１の電源ユニット１０１は、作業者により抜去される。
【００２５】
次に、新たな電源ユニットが、作業者により内蔵電源ユニット接続部１２１に接続される。このとき、直流変圧部１１０は、第２の電源ユニット１０２、新たな電源ユニット双方から直流電源を受け取っている。このため、作業者が外部から接続した第２の電源ユニット１０２を情報処理装置１０００から抜去しても、新たな電源ユニットのため直流変圧部１１０の制御回路２００への直流電源の供給は継続される。
【００２６】
最後に、第２の電源ユニット１０２は、作業者により情報処理装置１０００から抜去される。
【００２７】
以上で、情報処理装置１０００での装置を停止しない電源ユニット交換時の動作を終了する。
【００２８】
次に、本発明の第１の実施の形態の効果について説明する。
【００２９】
上述した本実施形態における情報処理装置は、装置内部の電源ユニットを、装置を停止しないまま交換できる。
【００３０】
その理由は、以下のような構成を含むからである。即ち、第１に情報処理装置内部の第１の電源ユニットは、内蔵電源ユニット接続部からの挿抜が可能である。第２に、情報処理装置は、第２の電源ユニットを外部電源ユニット接続部に外部から接続することが可能な構成である。したがって、情報処理装置内部の第１の電源ユニットが挿抜されても、情報処理装置の制御回路への直流電源の供給は、第２の電源ユニットから外部電源ユニット接続部を介して継続される。これにより、情報処理装置は、装置内部の第１の電源ユニットを、装置を停止しないまま交換できるという効果が得られる。
【００３１】
また、外部から接続される第２の電源ユニットは、情報処理装置内部の第１の電源ユニットの交換作業時間（およそ数分〜数十分）のみ電源を供給すればよい。このため、電源ユニットの装置内蔵、長時間稼働を前提とする必要がないので、外部から接続される電源ユニットの設計の自由度が高いという効果も得られる。
【００３２】
図３は、本発明の第１の実施形態に係る情報処理装置１０００の主要な構成を示すブロック図である。図３において、情報処理装置１０００は、直流変圧部１１０と、それに接続する内蔵電源ユニット接続部１２１および外部電源ユニット接続部１２２とを含む。直流変圧部１１０は、情報処理装置内部に必要な電圧の直流電源を供給する。内蔵電源ユニット接続部１２１は、交換可能な第１の電源ユニットと直流変圧部１１０とを接続する。外部電源ユニット接続部１２２は、外部から接続可能な第２の電源ユニットと直流変圧部１１０とを接続する。内蔵電源ユニット接続部１２１は、少なくとも１つ以上備える。
【００３３】
本構成の情報処理装置１０００は、装置内部の電源ユニットを、装置を停止しないまま交換し、装置交換中も電源の冗長度を維持するという課題を解決する。すなわち、図３に示す構成によれば、装置内部の電源ユニットを、装置を停止しないまま交換でき、装置交換中も電源の冗長度を維持できるという効果が得られる。
【００３４】
［第２の実施形態］
次に、本発明の第２の実施形態について図面を参照して詳細に説明する。以下、本実施形態の説明が不明確にならない範囲で、前述の説明と重複する内容については説明を省略する。
【００３５】
図４は、本発明の第２の実施形態に係る情報処理装置１００１および第２の電源ユニット１０２の構成を示すブロック図である。
【００３６】
図４を参照すると、本実施形態における情報処理装置１００１は、第１の実施形態のそれと比べて、直流変圧部１１０に代えて直流変圧部１１１を備える。また、第３の電源ユニット１０３と、第２の内蔵電源ユニット接続部１２３を新たに備える。
【００３７】
第３の電源ユニット１０３と第２の内蔵電源ユニット接続部１２３の機能は、それぞれ第１の電源ユニット１０１と内蔵電源ユニット接続部１２１と同様である。ただし、区別化するため、本実施形態では以降、内蔵電源ユニット接続部１２１は第１の内蔵電源ユニット接続部１２１と呼称する。
【００３８】
直流変圧部１１１は、第１の内蔵電源ユニット接続部１２１または外部電源ユニット接続部１２２または第２の内蔵電源ユニット接続部１２３を介して接続された電源ユニットより受け取った直流電源を制御回路２００に接続された各パーツに必要な電圧に変換して制御回路２００に供給する。
【００３９】
以上のように構成された情報処理装置１００１での装置を停止しない電源ユニット交換時の動作は第１の実施形態と同様である。
【００４０】
次に、本発明の第２の実施の形態の効果について説明する。
【００４１】
上述した本実施形態における情報処理装置１００１は、装置内部の電源ユニットの交換中も電源の冗長度を維持できる。
【００４２】
その理由は、以下のような構成を含むからである。即ち、第１に情報処理装置の通常稼働時は、第１の電源ユニット１０１と第３の電源ユニット１０３により電源が二重化される。第２に、装置内部の電源ユニットの交換中（ここで交換する電源ユニットは第１の実施の形態と同様、第１の電源ユニット１０１とする）は、外部より接続される第２の電源ユニット１０２と第３の電源ユニット１０３により電源が二重化される。したがって、冗長度は減少しないので、装置内部の電源ユニットの交換中も電源の冗長度を維持できるという効果が得られる。
【００４３】
以上、各実施の形態を参照して本発明を説明したが、本発明は上記実施の形態に限定されるものではない。本発明の構成や詳細には、本発明のスコープ内で当業者が理解しえる様々な変更をすることができる。
【符号の説明】
【００４４】
１０１、１０２、１０３    電源ユニット
１１０、１１１    直流変圧部
１２１、１２３    内蔵電源ユニット接続部
１２２    外部電源ユニット接続部
２００    制御回路
１０００、１００１    情報処理装置
【図１】
2015156064.tif 000003
【図２】
2015156064.tif 000004
【図３】
2015156064.tif 000005
【図４】
2015156064.tif 000006